(57)【要約】      （修正有）【課題】容易に係止することができると共に、十分な強度を確保しつつ小型化できる部材係止構造を提供すること。【解決手段】係止部２０を有するスイッチユニットボックス（第一部材）１１と、被係止開口１３を有するインストルメントパネル（第二部材）１０とを備え、係止部２０を被係止開口１３内に挿入することでスイッチユニットボックス１１とインストルメントパネル１０を互いに係止する部材係止構造であって、係止部２０は、被係止開口１３の周縁部１３ａに係合する爪部と、この爪部の側方に位置する案内片とを備えている。【選択図】図１
2007134652.tif 000002
【特許請求の範囲】
【請求項１】
係止部を有する第一部材と、被係止開口を有する第二部材とを備え、前記係止部を前記被係止開口内に挿入することで前記第一、第二部材を互いに係止する部材係止構造であって、
前記係止部は、前記被係止開口の周縁部に係合する爪部と、該爪部の側方に位置する案内片とを備えたことを特徴とする部材係止構造。
【発明の詳細な説明】
【技術分野】
【０００１】
本発明は、係止部を被係止穴開口に挿入係止することで第一、第二部材を互いに係止する部材係止構造に関するものである。
【背景技術】
【０００２】
従来から、図６に示すように、第一部材１に設けた係止杆２を第二部材３に設けた嵌合部４内に挿入し、係止杆２の係止爪２ａを嵌合部４内の係止爪４ａに係合して第一、第二部材１、３を係止する部材係止構造が知られている（例えば、特許文献１参照）。
【０００３】
この部材係止構造では、嵌合部４内に係止杆２の移動を規制する一対のリブ５、（他方図示せず）が設けられおり、この一対のリブ５の間に係止杆２を挿入するようになっている。
【特許文献１】特開平８−１０７６１７号公報
【発明の開示】
【発明が解決しようとする課題】
【０００４】
ところで、上述の部材係止構造では、係止杆２をガタツキ防止用の一対のリブ５、（他方図示せず）の間に挿入しなければならないので、挿入空間が比較的狭く、挿入することが困難であった。
【０００５】
特に、係止杆２が第一部材１の裏面側に形成されていて、挿入部分を目視確認できない場合では、挿入動作がさらに困難になるおそれがあった。
【０００６】
また、係止杆２とリブ５とが、それぞれ異なる部材に設けられているので、係止杆２の強度を向上するために大きな形状にすると、これに伴って一対のリブ５、（他方図示せず）の間を大きく確保しなければならず、結果的に部材係止構造全体が大きくなってしまう問題があった。
【０００７】
そこで、この発明は、容易に係止することができると共に、十分な強度を確保しつつ小型化できる部材係止構造を提供することを課題としている。
【課題を解決するための手段】
【０００８】
上記課題を解決するために、請求項１に記載の発明は、係止部を有する第一部材と、被係止開口を有する第二部材とを備え、前記係止部を前記被係止開口内に挿入することで前記第一、第二部材を互いに係止する部材係止構造であって、前記係止部は、前記被係止開口の周縁部に係合する爪部と、該爪部の側方に位置する案内片とを備えたことを特徴としている。
【発明の効果】
【０００９】
請求項１の発明によれば、被係止開口に挿入係止される係止部が、爪部と案内片とを備えているので、係止部を被係止開口に挿入する際に、この案内片によって挿入方向が案内されて容易に挿入することができる。
【００１０】
また、爪部の側方に案内片を設けることにより、爪部の強度を向上させることができ、この爪部を大型化しなくとも十分な強度を確保することが可能となる。そして、爪部の強度を確保できるので、係止部ががたついたり、爪部が外れたりするおそれがなくなり、安定して係止することができる。
【００１１】
さらに、案内片が爪部の側方に位置しているので、爪部の側方方向に沿った荷重が作用しても、案内片が被係止開口の周縁部に当接し、この係止部を外れにくくすることが可能となる。
【発明を実施するための最良の形態】
【００１２】
次に、本発明に関わる部材係止構造を実施するための最良の形態を図面に基づいて説明する。
【００１３】
図１に示すように、例えば自動車等の車両の車室内に設けられたインストルメントパネル（第二部材）１０には、スイッチユニットボックス（第一部材）１１が着脱自在に設けられている。
【００１４】
このスイッチユニットボックス１１は、筐体状のボックス本体１２と、このボックス本体１２の裏面１２ａ側に突出形成された複数の係止部２０と、このボックス本体１２の表面１２ｂ側に設けられた複数のスイッチＳ１〜Ｓ４及びディスプレイＤ１とを有している。
【００１５】
複数の係止部２０は、ボックス本体１２の四隅近傍にそれぞれ設けられており、図２に示すように、インストルメントパネル１０の後述する被係止開口１３の周縁部１３ａに係合する爪部２１と、この爪部２１の両側方に位置する一対の案内片２２、２２と備えている。
【００１６】
爪部２１は、ボックス本体１２の外側に向かって突出した突部２１ａを有している。なお、ここでは、ボックス本体１２の左右方向に沿って隣接する爪部２１の突部２１ａ同士が、互いに反対方向に向かって突出している（図１参照）。
【００１７】
この突部２１ａは、爪部２１の先端から次第に突出方向に傾いた傾斜面２１ｂと、この傾斜面２１ｂから続くと共に被係止開口１３の周縁部１３ａに当接係合する当接面２１ｃとを有している。
【００１８】
一対の案内片２２、２２は、爪部２１の側面に沿って突出する板状体であり、先端部が先細りとなる一対のガイド面２２ａ、２２ａを有している。
【００１９】
そして、図３（ａ）に示すように、爪部２１は、一対の案内片２２、２２の間のほぼ中央に設けられ、この爪部２１と一対の案内片２２、２２との間には、所定の間隙Ｋが設けられている。
【００２０】
なお、図３（ｂ）に示すように、爪部２１は、案内片２２、２２よりも挿入方向に大きく延在されている。また、この側面視において、爪部２１の幅Ｔ１は案内片２２の幅Ｔ２の約半分となっていると共に、突部２１ａが案内片２２から突出するようになっている。
【００２１】
一方、インストルメントパネル１０には、複数の係止部２０のそれぞれに対応する複数の被係止開口１３が形成されている（図１参照）。
【００２２】
各被係止開口１３は、係止部２０の爪部２１及び一対の案内片２２、２２を挿入可能な大きさに形成され、挿入された爪部２１の突部２１ａが周縁部１３ａに係合するようになっている。
【００２３】
次に、本発明に係る部材係止構造の作用について説明する。
【００２４】
第一部材であるスイッチユニットボックス１１を第二部材であるインストルメントパネル１０に取り付けるには、まずスイッチユニットボックス１１のボックス本体１２の裏面１２ａをインストルメントパネル１０に対向させる。
【００２５】
そして、複数の係止部２０をそれぞれ被係止開口１３内に挿入していく。このとき、爪部２１の両側方に位置する案内片２２、２２にそれぞれ形成された一対のガイド面２２ａ、２２ａによって係止部２０の挿入方向が案内され、容易に挿入することができる。
【００２６】
特に、ここでは、側面視における爪部２１の幅Ｔ１が案内片２２の幅Ｔ２の約半分であるので、爪部２１だけの場合よりも係止部２０を拡大することができて、さらに挿入しやすくなっている。
【００２７】
また、この係止部２０がボックス本体１２の裏面１２ａ側に設けられ、被係止開口１３と係止部２０との位置関係を目視確認できなくとも、案内片２２、２２によって挿入方向が案内されるので、挿入作業性を向上させることができる。
【００２８】
そして、爪部２１の傾斜面２１ｂが被係止開口１３の周縁部１３ａに当接することにより、次第に爪部２１が撓められ、周縁部１３ａが傾斜面２１ｂを相対的に乗り越えると爪部２１は自身の弾性力で元に戻る。これと同時に、傾斜面２１ｂから続いた当接面２１ｃが周縁部１３ａに当接し、爪部２１が被係止開口１３に係合することとなる。
【００２９】
ここで、側面視において、爪部２１の突部２１ａは案内片２２、２２から突出するようになっているので、この案内片２２、２２によって爪部２１の撓みを阻害することなく、円滑に挿入、係合することが可能となる。
【００３０】
さらに、爪部２１の両側方に一対の案内片２２、２２を設けることにより、爪部２１の強度を向上させることができ、この爪部２１を大型化しなくとも十分な強度を確保することが可能となる。すなわち、係止部２０の強度を十分に確保しつつ、小型化を図ることができる。
【００３１】
そして、爪部２１の強度を確保できるので、係止部２０ががたついたり、係止部２０が被係止開口１３から外れたりするおそれがなくなり、安定してスイッチユニットボックス１１を係止することができる。
【００３２】
さらに、一対の案内片２２、２２が爪部２１の両側方に位置しているので、図４に矢印Ｘで示す方向である爪部２１の側方方向に沿った荷重が作用しても、案内片２２、２２が被係止開口１３の周縁部１３ａに当接する。そのため、爪部２１の係合位置がずれにくく、この係止部２０を外れにくくすることが可能となる。
【００３３】
一方、インストルメントパネル１０に係止されたスイッチユニットボックス１１を取り外すには、このインストルメントパネル１０の裏面側に突出した係止部２０の爪部２１を、ボックス本体１２の内側に向かって押し込む。
【００３４】
ここで、ボックス本体１２の左右方向に沿って隣接する爪部２１の突部２１ａ同士が、互いに反対方向に向かって突出している。そのため、それぞれの爪部２１を取り外すには、互いに近接する方向に押し込めばよい。
【００３５】
そして、爪部２１を押しこんで撓ませ、当接面２１ｃと被係止開口１３の周縁部１３ａとの係合が解除されたら、スイッチユニットボックス１１をインストルメントパネル１０から離間させ、取り外す。
【００３６】
このように、係止部２０の爪部２１を押し込んで撓ませるだけなので、特別な工具等が不必要になり、このスイッチユニットボックス１１を容易に取り外すことができる。
【００３７】
以上、この発明にかかる実施の形態を図面により詳述してきたが、具体的な構成は上述の実施の形態に限らない。この発明の要旨を逸脱しない範囲の設計の変更等はこの発明に含まれる。
【００３８】
例えば、上述の実施の形態では、爪部２１の両側方に一対の案内片２２、２２が設けられているが、どちらか一方であってもよい。
【００３９】
また、爪部２１の側面視における幅Ｔ１が案内片２２、２２の幅Ｔ２の約半分でなくともよい。任意の割合に設定することができる。
【００４０】
さらに、上述の実施の形態では、第一部材としてスイッチユニットボックス１１とし、第二部材としてインストルメントパネル１０としているが、これに限らない。例えば、インストルメントパネル１０に係止部を形成し、スイッチユニットボックス１１に被係止開口を形成してもよい。
【図面の簡単な説明】
【００４１】
【図１】この発明に係る部材係止構造を示す斜視図である。
【図２】係止部を示す斜視図である。
【図３】（ａ）は図２に示す係止部の正面図であり、（ｂ）は図２に示す係止部の側面図である。
【図４】係止部を被係止開口に係合させた状態を示す斜視図である。
【図５】図４におけるＡ−Ａ断面図である。
【図６】従来の部材係止構造を示す斜視図である。
【符号の説明】
【００４２】
１０              第二部材（インストルメントパネル）
１１              第一部材（スイッチユニットボックス）
１３              被係止開口
１３ａ            周縁部
２０              係止部
２１              爪部
２２              案内片
【図１】
2007134652.tif 000003
【図２】
2007134652.tif 000004
【図３】
2007134652.tif 000005
【図４】
2007134652.tif 000006
【図５】
2007134652.tif 000007
【図６】
2007134652.tif 000008